(57)【要約】【課題】リフォームに際してキッチン等の水栓の取付位置を変更するに際し、既設の給水，給湯取出口とこれとは異なった位置の水栓の給水，給湯口とを接続配管で接続し且つその接続配管を配管カバーで隠蔽した場合において、その配管カバーを特に調整作業を行わなくても正しく水平姿勢に取付壁に取付固定できるようにする。【解決手段】既設の給水取出口４０，給湯取出口４１と、それらとは異なる位置の水栓１８の給水口，給湯口とを接続する接続配管３８を内部に収納する配管カバー１６の取付壁Ｗへの取付構造であって、配管カバー１６を左右方向に間隔をおいた取付壁Ｗに設けられた複数のバックハンガ金具７４にて取付固定するようにする。そのバックハンガ金具７４には下端部に当接部８２を設けておき、これをバックガード部１５の上面に当接させた状態で取付壁Ｗに固定する。【選択図】        図３
2004183353.tif 000002
【特許請求の範囲】
【請求項１】
取付壁に設けてある既設の給水取出口，給湯取出口と、それらとは異なる位置の水栓の給水口，給湯口とを接続する接続配管を内部に収納する配管カバーの該取付壁への取付構造であって、
前記配管カバーを、シンク等水槽の設けられたカウンターの上において前記取付壁に固定の、左右方向に間隔をおいた複数のブラケットにて該取付壁に取付固定するようになすとともに、該ブラケットには、下端部にカウンター後端部のバックガード部の上面に当接し載置される当接部が設けてあり、該当接部を該バックガード部の上面に当接させる状態に該ブラケットが前記取付壁に固定してあることを特徴とする配管カバーの取付構造。
【請求項２】
請求項１において、前記当接部が前方への曲返し形状となしてあることを特徴とする配管カバーの取付構造。
【請求項３】
請求項１，２の何れかにおいて、前記ブラケットが掛止部を有するバックハンガであり、前記配管カバーには該掛止部に引っ掛けて掛止される被掛止部が設けてあって、該掛止部への該被掛止部の掛止により該配管カバーが前記ブラケットにて支持されるようになしてあることを特徴とする配管カバーの取付構造。
【請求項４】
請求項１〜３の何れかにおいて、前記配管カバーが水栓取付パネルを兼ねていることを特徴とする配管カバーの取付構造。
【請求項５】
請求項１〜４の何れかにおいて、前記配管カバーが、前記取付壁の側から前方に延びる天板部と、該天板部の前端部から下向きに立ち下がる前板部と、該前板部の下端部から前記取付壁に向って後方に延びる下板部とを有していて、それらの内側に前記配管を収納する収納部を形成しており、且つそれら天板部，前板部及び下板部が一体構造となしてあることを特徴とする配管カバーの取付構造。
【請求項６】
請求項１〜５の何れかにおいて、前記配管カバーの下端部が前記バックガード部の上面と同等高さ位置において該上面に沿って左右且つ水平方向に延びていることを特徴とする配管カバーの取付構造。
【発明の詳細な説明】
【０００１】
【発明の属する技術分野】
この発明は、特にリフォームに際し適用して好適な配管カバーの取付構造に関する。
【０００２】
【従来の技術】
通常、キッチンには流し台のカウンター上方において水栓が後側の取付壁から前方に突き出す状態で設けられている。
ところでキッチンをリフォームしてシステムキッチン化したりする場合等において、当初の既設の小さな流し台が大きな流し台に取り変わったり或いは流し台の位置が変更したりする。
このとき水栓の取付位置も併せて変更する必要の生ずることが多い。
【０００３】
しかしながら、従来にあっては水栓の取付位置を変更することは容易ではないといった問題があった。
壁裏の配管の位置が固定であるために、水栓の取付位置を変更しようすると取付壁を削って配管工事からやり直さなければならず、水栓の取付施工が著しく大変なものとなってしまい、またコストも高いものとなってしまう。
【０００４】
このような中にあって、水栓の取付壁を削ったり配管工事をやり直したりしなくても、水栓の取付位置を変更可能とするものが下記特許文献１に提案されている。
図１０はこれを具体的に示したものである。
【０００５】
図示のものは、取付壁Ｗに既設の給水取出口２００，給湯取出口２０１に対し、水栓の取付位置の変更に伴って給水取出口２００，給湯取出口２０１とは異なった位置となる水栓２０２の給水，給湯口を接続配管２０４にて接続し、そしてこれを水栓取付パネルを兼ねた配管カバー２０６にて内部に隠蔽状態に収容し、かかる配管カバー２０６に水栓２０２を取り付けた状態で配管カバー２０６を取付壁Ｗに取付固定するようになしたものである。
【０００６】
この例の場合、取付壁Ｗに固定したバックハンガ（ブラケット）２０８に対し、配管カバー２０６に固定のアーム２１０の端部に設けた被掛止部２１２を引っ掛けるように掛止し、以って配管カバー２０６をバックハンガ２０８を介して取付壁Ｗに取付固定するようにしている。
【０００７】
尚図１０において、２１４はキッチンの流し台、２１６はキャビネットであり、２１８はシンク２２０の設けられたカウンターで、その後端部には上向きに立ち上がるバックガード部２２２が設けられている。
【０００８】
【特許文献１】
特開２００２−１２９６１２号公報
【０００９】
【発明が解決しようとする課題】
しかしながら図１０に示す配管カバー２０６の取付構造では、バックハンガ２０８の左右の高さ位置を厳密に同じ高さ位置に調整しなければならず、その作業に手間取る問題がある。
またそのようにしたとしてもバックハンガ２０８の位置が左右で微妙に上下方向にずれていたりすることもあり、この場合配管カバー２０６をバックハンガ２０８に掛止して取付壁Ｗに取り付けたとき、配管カバー２０６を正面から見ると配管カバー２０６が左右に傾いた状態となって見栄えが悪く、仕上りが悪いといった不具合を生ずる。
【００１０】
その場合再び配管カバー２０６を外してバックハンガ２０８の高さ位置を再び合せなければならず、水栓２０２を含む配管カバー２０６の取付けに多大な労力と時間を費やしてしまう問題がある。
【００１１】
またこの配管カバー２０６の取付構造の場合、配管カバー２０６を取付壁Ｗに取り付けた後において、配管カバー２０６の周縁部に沿ってコーキング材を施して防水施工を行うが、その作業にも手間取るといった問題がある。
【００１２】
【課題を解決するための手段】
本発明の配管カバーの取付構造はこのような課題を解決するために案出されたものである。
而して請求項１のものは、取付壁に設けてある既設の給水取出口，給湯取出口と、それらとは異なる位置の水栓の給水口，給湯口とを接続する接続配管を内部に収納する配管カバーの該取付壁への取付構造であって、前記配管カバーを、シンク等水槽の設けられたカウンターの上において前記取付壁に固定の、左右方向に間隔をおいた複数のブラケットにて該取付壁に取付固定するようになすとともに、該ブラケットには、下端部にカウンター後端部のバックガード部の上面に当接し載置される当接部が設けてあり、該当接部を該バックガード部の上面に当接させる状態に該ブラケットが前記取付壁に固定してあることを特徴とする。
【００１３】
請求項２のものは、請求項１において、前記当接部が前方への曲返し形状となしてあることを特徴とする。
【００１４】
請求項３のものは、請求項１，２の何れかにおいて、前記ブラケットが掛止部を有するバックハンガであり、前記配管カバーには該掛止部に引っ掛けて掛止される被掛止部が設けてあって、該掛止部への該被掛止部の掛止により該配管カバーが前記ブラケットにて支持されるようになしてあることを特徴とする。
【００１５】
請求項４のものは、請求項１〜３の何れかにおいて、前記配管カバーが水栓取付パネルを兼ねていることを特徴とする。
【００１６】
請求項５のものは、請求項１〜４の何れかにおいて、前記配管カバーが、前記取付壁の側から前方に延びる天板部と、該天板部の前端部から下向きに立ち下がる前板部と、該前板部の下端部から前記取付壁に向って後方に延びる下板部とを有していて、それらの内側に前記配管を収納する収納部を形成しており、且つそれら天板部，前板部及び下板部が一体構造となしてあることを特徴とする。
【００１７】
請求項６のものは、請求項１〜５の何れかにおいて、前記配管カバーの下端部が前記バックガード部の上面と同等高さ位置において該上面に沿って左右且つ水平方向に延びていることを特徴とする。
【００１８】
【作用及び発明の効果】
以上のように本発明は、複数のブラケットのそれぞれの下端部に当接部を設けて、その当接部をカウンター後端部のバックガード部の上面に当接載置させる状態で、それらを左右方向に間隔をおいて取付壁に固定し、そしてそれらブラケットにて配管カバーを取付壁に取付固定するようになしたもので、本発明によれば、左右方向に間隔をおいて配置される複数のブラケットを特別に高さ調整しなくても、単に当接部をバックガード部の上面に当接載置させるだけで、全てのブラケットを自動的に正しい高さ位置に位置決めすることができる。
【００１９】
従ってそれらブラケットを介して配管カバーを取付壁に取付固定したとき、配管カバーを正しい水平姿勢で取付壁に取付固定することができ、これにより配管カバーの取付外観をすっきりとした美しいものとなすことができる。
また各ブラケットに対して特別な高さ調整を必要としないため、取付施工を少ない手間で簡単に行うことができる。
【００２０】
本発明においては、配管カバーの下端部をバックガード部の上面と同等高さ位置において、その上面に沿って左右且つ水平方向に延びるようになすことができ（請求項６）、このようにすることで、配管カバーの下端部に沿ってコーキング処理する際、コーキング材を単に配管カバーの下端部とバックガード部との間に充填するだけで良く、同作業を簡単に行うことができるとともに仕上りを良好なものとなすことができる。
【００２１】
本発明においては、ブラケットの下端部の当接部を前方への曲返し形状となしておくことができ（請求項２）、このようにすることで、ブラケットとバックガード部上面との接触面積を広くすることができ、これによりバックガード部によるブラケットの位置決機能をより安定化できるとともに、バックガード部によるブラケットの支持力を高めることができる。
またそのようにバックガード部によってブラケットを支持した状態で取付壁へのブラケットの固定ができるため、同ブラケットの固定作業がより容易化する。
【００２２】
この場合において、ブラケットを掛止部を有するバックハンガとなし、一方配管カバーには被掛止部を設けておいて、その被掛止部をバックハンガの掛止部に掛止することによって、配管カバーをブラケットにて支持するようになすことができる（請求項３）。
このようになした場合、単に配管カバーをバックハンガに掛止するだけで、簡単にこれを取付壁にバックハンガを介して取付固定でき、配管カバーの取付施工が容易なものとなる。
【００２３】
また本発明では、配管カバーに水栓取付パネルを兼用させ、そこに水栓を取り付けるようになすことができる（請求項４）。
ここで配管カバーは、取付壁の側から前方に延びる天板部と、その前端部から下向きに立ち下がる前板部と、更にその前板部の下端部から取付壁に向って後方に延びる下板部とを有するものとなし、且つそれらを一体構造に構成しておくことができる（請求項５）。
【００２４】
【実施例】
次に本発明の実施例を図面に基づいて詳しく説明する。
図１において、１０はシステムキッチンにおける流し台で、１２はシンク、１４はキャビネットである。
流し台１０には、取付壁Ｗ側の後端部に上向きに立ち上がるバックガード部１５が設けられている。このバックガード部１５は水返しとしてのものである。
このバックガード部１５の直上において、水栓取付パネル兼用の配管カバー１６が取付壁Ｗに接する状態で設けられている。
ここで配管カバー１６は、アルミの押出材にて構成されている。
【００２５】
この配管カバー１６の前面には水栓（ここではシングルレバー式水栓）１８が取り付けられている。
ここで水栓１８は、シンク１２の左右方向の中央部において配管カバー１６に取り付けられている。
この水栓１８は水，湯の通路部材を兼ねた一対のクランク脚２０を有しており、それらにおいて水栓１８が配管カバー１６の前面に取り付けられている。
【００２６】
２２は水栓１８における水栓本体で、その上部にレバーハンドル２４が設けられ、また水栓本体２２の下面からは先端に吐水口２６を有する吐水管２８がシンク１２に向けて前方に延び出している。
【００２７】
配管カバー１６は、図３及び図７に示しているように取付壁Ｗ側から前方に水平に延び出す天板部３０と、天板部３０の前端部から下向きに立ち下がる前板部３２と、前板部３２の下端部から取付壁Ｗに向って後方に延びる下板部３４とを有している。
本例ではこれら天板部３０，前板部３２及び下板部３４が連続した一体構造物として構成されている。
【００２８】
この配管カバー１６は、その内部において取付壁Ｗとの間に収納空間３６を形成しており、図２に示しているようにそこに曲げ変形の容易な水，湯の接続配管（ここでは銅管）３８が収容されている。
【００２９】
図２において４０，４１はそれぞれ取付壁Ｗに設けられた既設の給水取出口及び給湯取出口であり、それぞれに水，湯の接続配管３８の一端部が接続されている。
これら接続配管３８は配管カバー１６内の収納空間３６を横向きに延び、各他端部がそれら給水取出口４０及び給湯取出口４１とは離れた位置にある水栓１８の給水口，給湯口にそれぞれ接続されている。
本例において、これら接続配管３８はそれぞれ収納空間３６内に露出状態で、即ちその外面が保温材にて被覆されない状態で配管されている。
【００３０】
図４にそれら一対の接続配管３８と給水取出口４０，給湯取出口４１及び水栓１８の給水口及び給湯口との接続構造が詳しく示してある。
同図に示しているように水栓１８における給水口及び給湯口としてのクランク脚２０の先端部は雄ねじ管２１とされていて、この雄ねじ管２１が、配管カバー１６における前板部３２の貫通孔４２を貫通し、配管カバー１６の内部においてそこにソケット金具４３がねじ結合されている。
【００３１】
そしてそのソケット金具４３に対し、接続配管３８における一方（図中左端）の端部金具４４が、ソケット金具４３への挿入状態で略リング状をなすばねクリップ４６によりワンタッチ接続されている。
一方給水取出口４０，給湯取出口４１にはニップル４８が取り付けられて、そのニップル４８にソケット金具４３がねじ結合され、そしてそのソケット金具４３の内部に接続配管３８における他方（図中右端）の端部金具４４が嵌入した状態で、それらがばねクリップ４６によりワンタッチ接続されている。
【００３２】
即ち接続配管３８の一端部がソケット金具４３を介してクランク脚２０の雄ねじ管２１に接続され、また他端部がソケット金具４３，ニップル４８を介して、取付壁Ｗに設けられた既設の給水取出口４０及び給湯取出口４１にそれぞれ接続されている。
尚図４において５０はパッキン、５２は座付ナット、５４は平パッキン、５６は菊座金、５８は固定ナットである。
【００３３】
図３及び図７に示しているように、配管カバー１６における下板部３４には、流し台１０のバックガード部１５より前側且つバックガード部１５に近接した位置において、貫通の水抜孔６２が設けられている。
この水抜孔６２は、配管カバー１６内部の収納空間３６内に収納された接続配管３８の結露水が下方に滴り落ちたときに、これをシンク１２に向けて排出するためのものである。
【００３４】
下板部３４は、この水抜孔６２より前側のほぼ全体が傾斜形状の案内壁３４ａとされている。
この案内壁３４ａは、前板部３２の下端部から取付壁Ｗに接近するにつれて下方に移行する斜め下向きの傾斜形状とされており、その傾斜形状に基づいて、図３に示しているように下方に落下した結露水を、この案内壁３４ａで受けて水抜孔６２に向けて案内する。
【００３５】
下板部３４にはまた、図７に示すようにこの水抜孔６２の後側の位置且つ取付壁Ｗの近接位置において、垂直上方に立ち上がる立上り壁６４が設けられている。
この立上り壁６４は水止壁として作用し、落下した結露水が取付壁Ｗに達するのを阻止して水抜孔６２から排出させる働きをなす。
【００３６】
この立上り壁６４の上部は、下向きの曲返し部６８とともに引掛部６６を成している。
そしてこの引掛部６６において、後述のバックハンガ金具７４の下端部（掛止部７８）に掛止されるようになっている（図９参照）。
【００３７】
一方、天板部３０の後端部にもまた下向きの曲返し部７０が設けられていて、その曲返し部７０の下端部に今一方の引掛部７２が設けられている。
配管カバー１６は、この引掛部７２においても後述のバックハンガ金具７４の上端部（掛止部８０）に掛止される（図９参照）。
【００３８】
図５において、７４は取付壁Ｗに取り付けられたバックハンガ金具（ブラケット）である。
これらバックハンガ金具７４は、取付壁Ｗに沿って所定間隔で複数配置されており、固定ビス７６によって取付壁Ｗに固定されている。
ここで各バックハンガ金具７４は、取付壁Ｗの後側の間柱に対応する位置においてそれぞれ取付壁Ｗに固定されている。
【００３９】
図６に示しているようにこれらバックハンガ金具７４は、下端よりやや上側の位置と上端位置とに掛止部７８，８０が設けられており、その掛止部７８に配管カバー１６における引掛部６６が、また上端の掛止部８０に配管カバー１６における引掛部７２がそれぞれ引掛状態で掛止されるようになっている。
【００４０】
バックハンガ金具７４には、その下端に前方への曲返し部から成る当接部８２が設けられており、この当接部８２を、流し台１０におけるバックガード部１５の上端面に当接載置させるようになっている。即ち各バックハンガ金具７４は、これら当接部８２をバックガード部１５の上面に当接載置させる状態で取付壁Ｗに固定されている。
【００４１】
本例の配管カバーの取付構造においては、図８において先ず配管カバー１６に水栓１８を取り付けておき、そしてその水栓１８の給水口と給湯口に対し、一対の接続配管３８の一端部を接続しておく。
そして各接続配管３８の他端部を、取付壁Ｗに予め設けてある既設の給水取出口４０及び給湯取出口４１に接続する。
【００４２】
その状態で配管カバー１６を、水栓１８の取付状態で取付壁Ｗに予め固定してある複数のバックハンガ金具７４のそれぞれに掛止する。詳しくは、図９（Ａ），（Ｂ）に示しているように一対の引掛部６６，７２を、複数のバックハンガ金具７４における各一対の掛止部７８，８０に掛止する。
【００４３】
このとき配管カバー１６は正しく水平向きの姿勢でバックハンガ金具７４を介して取付壁Ｗに取り付けられる。
配管カバー１６を支持すべき複数のバックハンガ金具７４の何れもが、その下端の当接部８２をバックガード部１５の上端面に当接載置させた状態（図３中拡大図参照）で取付壁Ｗに取り付けられているからである。即ち各バックハンガ金具７４が何れも同一の高さ位置に位置合せされた状態で、取付壁Ｗに固定されているからである。
【００４４】
尚配管カバー１６は、その取付状態において下端部がバックガード部１５の上端位置とほぼ同じ位置となる。
立上り壁６４の高さ及び引掛部６６の位置が予めそのように定められている。
【００４５】
尚、配管カバー１６はバックハンガ金具７４にこれを掛止した後において、図１に示しているようにその側面の開放部を側面キャップ８４にて閉鎖する。
【００４６】
その後において本例では、配管カバー１６の取付壁Ｗ側の外周縁に沿ってコーキング処理を行う。
その際、配管カバー１６の下端部は正しくバックガード部１５の上面に沿って且つその上面との間に一定の微小な隙間を形成して左右方向に延びているため、コーキング処理も容易に行うことができる。
【００４７】
かかる本例の配管カバー１６の取付構造によれば、左右方向に間隔をおいて配置される複数のバックハンガ金具７４を特別に高さ調整しなくても、単に当接部８２をバックガード部１５の上面に当接載置させるだけで、全てのバックハンガ金具７４が自動的に正しい高さ位置に位置決めされ、取付壁Ｗに固定されるので、バックハンガ金具７４を介して配管カバー１６を取付壁Ｗに取付固定したとき、配管カバー１６を正しい水平姿勢で取付壁Ｗに取付固定でき、これにより配管カバー１６の取付外観をすっきりとした美しいものとなすことができる。
またバックハンガ金具７４や配管カバー１６を特別に高さ調整しなくても良いため、取付施工も少ない手間で簡単に行うことができる。
【００４８】
また本例においては、バックハンガ金具７４の下端部の当接部８２を前方への曲返し形状となしてあるので、バックハンガ金具７４とバックガード部１５の上面との接触面積を広くすることができ、これによりバックガード部１５によるバックハンガ金具７４の位置決機能をより安定化できるとともに、バックガード部１５によるバックハンガ金具７４の支持力を高めることができる。
またそのようにバックガード部１５によってバックハンガ金具７４を支持した状態で取付壁Ｗへのバックハンガ金具７４の固定ができるため、バックハンガ金具７４の固定作業がより容易にできる。
【００４９】
また本例においてはバックハンガ金具７４に掛止部７８，８０を、配管カバー１６には引掛部６６，７２を設け、その引掛部６６，７２をバックハンガ金具７４の掛止部７８，８０に掛止するようにしているため、配管カバー１６をバックハンガ金具７４を介して簡単に取付壁Ｗに取付固定できる。
【００５０】
以上本発明の実施例を詳述したがこれはあくまで一例示であり、本発明はその趣旨を逸脱しない範囲において種々変更を加えた形態で構成可能である。
【図面の簡単な説明】
【図１】本発明の適用対象の一例としての配管カバーを流し台への取付状態で示す斜視図である。
【図２】本発明の一実施例の配管カバーの取付構造の要部を示す平面図である。
【図３】同実施例の配管カバーの取付構造の側断面図である。
【図４】同実施例における配管カバーの取付構造を接続配管とともに分解して示す図である。
【図５】同実施例におけるバックハンガ金具を固定状態で示す図である。
【図６】図５のバックハンガ金具を単品で示す図である。
【図７】同実施例における配管カバーを単品で示す図である。
【図８】同実施例における配管カバーの取付手順の一工程を示す説明図である。
【図９】図８に続く工程の説明図である。
【図１０】従来の配管カバーの取付構造を示す図である。
【符号の説明】
１２  シンク
１５  バックガード部
１６  配管カバー
１８  水栓
３０  天板部
３２  前板部
３４  下板部
３６  収納空間
３８  接続配管
４０  給水取出口
４１  給湯取出口
６６，７２  引掛部（被掛止部）
７４  バックハンガ金具（ブラケット）
７８，８０  掛止部
８２  当接部
Ｗ  取付壁
【図１】
2004183353.tif 000003
【図２】
2004183353.tif 000004
【図３】
2004183353.tif 000005
【図４】
2004183353.tif 000006
【図５】
2004183353.tif 000007
【図６】
2004183353.tif 000008
【図７】
2004183353.tif 000009
【図８】
2004183353.tif 000010
【図９】
2004183353.tif 000011
【図１０】
2004183353.tif 000012